(57)【要約】【課題】高所にある軸回り作業の作業者負担を軽減できる軸回り用吊り天秤を提供する【解決手段】本考案の軸回り用吊り天秤１０は、チェーン１４の両端をつるべ式に交互に昇降させる吊り上げ手段１２と、水平に配置された棒状構造物の軸回りに沿った弧状の本体を有し、前記チェーン１４の一端が前記本体の一端側に、前記チェーン１４の他端が前記本体の他端側に接続する弧型天秤本体２０と、前記弧型天秤本体２０を前記棒状構造物の軸回りに周回移動可能に挟持するとともに、前記チェーン１４の送り出し又は巻き上げ自在に軸支するトロリー４０と、を備えたことを特徴とする。【選択図】    図１
0003219374.tif 000002
【実用新案登録請求の範囲】
【請求項１】
チェーンの両端をつるべ式に交互に昇降させる吊り上げ手段と、
水平に配置された棒状構造物の軸回りに沿った弧状の本体を有し、前記チェーンの一端が前記本体の一端側に、前記チェーンの他端が前記本体の他端側に接続する弧型天秤本体と、
前記弧型天秤本体を前記棒状構造物の軸回りに周回移動可能に挟持するとともに、前記チェーンの送り出し又は巻き上げ自在に軸支するトロリーと、
を備えたことを特徴とする軸回り用吊り天秤。
【請求項２】
請求項１に記載された軸回り用吊り天秤であって、
前記トロリーは、前記弧型天秤本体の上面に転接する第１及び第２上部車輪と、前記弧型天秤本体の下面に転接する下部車輪と、を備え、
前記第１及び第２上部車輪は内部に前記チェーンの一端及び他端を送り出し又は巻き上げ自在に軸支するシーブを有することを特徴とする軸回り用吊り天秤。
【請求項３】
請求項２に記載された軸回り用吊り天秤であって、
前記第１及び第２上部車輪と下部車輪は、いずれも一対の片ツバ車輪を用いたことを特徴とする軸回り用吊り天秤。
【請求項４】
請求項２又は３に記載された軸回り用吊り天秤であって、
前記弧型天秤本体は、上部フランジに取り付けてチェーンが嵌る中心溝を有するチェーンガイドと、
前記シーブとチェーンを間に挟んで対向し前記チェーンの送り出し又は巻き上げを軸支する送りローラと、
を備えたことを特徴とする軸回り用吊り天秤。
【請求項５】
請求項１ないし４のいずれか１に記載された軸回り用吊り天秤であって、
前記トロリーは、前記弧型天秤本体の主面に当接する固定ピンを備えたことを特徴とする軸回り用吊り天秤。
【請求項６】
請求項１ないし５に記載された軸回り用吊り天秤であって、
前記トロリーは、前記チェーンのリング穴に貫通するストッパーを備えたことを特徴とする軸回り用吊り天秤。
【考案の詳細な説明】
【技術分野】
【０００１】
本考案は、例えば水平に配置された棒状構造物となるガスタービンの燃焼器の分解、組立て、交換などの軸回り作業に適用可能な軸回り用吊り天秤に関する。
【背景技術】
【０００２】
発電所のガスタービンの燃焼器は、ガスタービン本体の軸回りに複数個、所定角度で配置し、燃焼して生成した高温の燃焼ガスをタービンに送り駆動させるものである。
この燃焼器は、軸方向に複数の部品を連結した構成であり、具体的には、燃焼ノズルを有する燃焼ノズルケーシングと、内筒及び外筒からなる燃焼器ケーシングと、燃焼ガスをタービンへ供給するトラジションピースの３つの主部品からなる。
【０００３】
このような構成の燃焼器は、運転時において、燃焼ノズルから供給された燃料が加圧空気とともに内筒内で燃焼する。そして生成した燃焼ガスがトラジションピースからタービンへ送られて動翼が回転する。
この燃焼器を構成する各部品は、高温雰囲気などの過酷な条件下で使用されるため、摩耗、クラック、金属疲労などの損傷を受け、破壊してしまう。そのため発電所においては、定期的に停止し、点検・補修作業を行っている。
従来、燃焼器は重量物のため、点検作業には天井クレーンを使用した作業者の手作業により行われていた。しかし、前述のようにガスタービン本体の軸回りに複数個配置した燃焼器のうち、ガスタービン本体の下部に配置した燃焼器は、天井クレーンが使用できないため、別途チェーンブロックを用意して行わなければならず危険かつ困難な作業となっていた。
【０００４】
そこで特許文献１に開示の吊り装置は、ガスタービンの軸回りで周回移動が可能な円弧形状アームをガスタービン本体の上側に搭載部を介して取り付け、さらに円弧形状アーム上で周回移動する挿入・引抜き装置を連結している。
しかしながら、前記吊り装置は、ガスタービン本体への搭載部の取り付け時にロック機構が必要となり、周回移動時にはアームガイドが必要となる。
このため、既存設備には改造等しなければ適用することができない。また装置構成が複雑で重量物となり、狭隘な現場では天井クレーンによる取り扱いが困難な作業となる。
【先行技術文献】
【特許文献】
【０００５】
【特許文献１】特開平１０−１９６４０２号公報
【考案の概要】
【考案が解決しようとする課題】
【０００６】
本考案が解決しようとする課題は、上記従来技術の問題点に鑑み、高所にある軸回り作業の作業者負担を軽減できる軸回り用吊り天秤を提供することにある。
【課題を解決するための手段】
【０００７】
本考案は、上記課題を解決するための第１の手段として、チェーンの両端をつるべ式に交互に昇降させる吊り上げ手段と、
水平に配置された棒状構造物の軸回りに沿った弧状の本体を有し、前記チェーンの一端が前記本体の一端側に、前記チェーンの他端が前記本体の他端側に接続する弧型天秤本体と、
前記弧型天秤本体を前記棒状構造物の軸回りに周回移動可能に挟持するとともに、前記チェーンの送り出し又は巻き上げ自在に軸支するトロリーと、
を備えたことを特徴とする軸回り用吊り天秤を提供することにある。
上記第１の手段によれば、天井クレーンで吊り上げた状態で水平に配置された棒状構造物の下方へ回り込んで装置等を搬送することができ、吊り替え等の必要がなく、容易に、効率よく、安全に高所作業を行うことができる。
【０００８】
本考案は、上記課題を解決するための第２の手段として、第１の手段において、前記トロリーは、前記弧型天秤本体の上面に転接する第１及び第２上部車輪と、前記弧型天秤本体の下面に転接する下部車輪と、を備え、
前記第１及び第２上部車輪は内部に前記チェーンの一端及び他端を送り出し又は巻き上げ自在に軸支するシーブを有することを特徴とする軸回り用吊り天秤を提供することにある。
上記第２の手段によれば、吊り上げ手段のチェーン送り出し又は巻き上げ動作に連動して挟持する弧型天秤本体を長手方向に沿って進退移動できる。このため水平に配置された棒状構造物の側方から下方への回り込みが容易に行える。
【０００９】
本考案は、上記課題を解決するための第３の手段として、第２の手段において、前記第１及び第２上部車輪と下部車輪は、いずれも一対の片ツバ車輪を用いたことを特徴とする軸回り用吊り天秤を提供することにある。
上記第３の手段によれば、車輪のツバ間に本体が収まってトロリーから弧型天秤本体が脱落することを防止できる。
【００１０】
本考案は、上記課題を解決するための第４の手段として、第２又は第３の手段において、前記弧型天秤本体は、上部フランジに取り付けてチェーンが嵌る中心溝を有するチェーンガイドと、
前記シーブとチェーンを間に挟んで対向し前記チェーンの送り出し又は巻き上げを軸支する送りローラと、
を備えたことを特徴とする軸回り用吊り天秤を提供することにある。
上記第４の手段によれば、シーブと送りローラによりチェーンを噛み込み、かつ上部フランジ上のチェーンガイドにチェーンが嵌り込むことにより、トロリーの第１及び第２上部車輪からチェーンが脱落することを防止できる。またチェーンの送り出し又は巻き上げを周回移動に効率良く伝達できる。
【００１１】
本考案は、上記課題を解決するための第５の手段として、第１ないし第４のいずれか１の手段において、前記トロリーは、前記弧型天秤本体の主面に当接する固定ピンを備えたことを特徴とする軸回り用吊り天秤を提供することにある。
上記第５の手段によれば、弧型天秤の周回移動を防止でき、停止時、天井クレーンによる移動時、周回移動後の作業時などの際に弧型天秤本体の誤作動を防止又は本体を固定できる。
【００１２】
本考案は、上記課題を解決するための第６の手段として、第１ないし第５のいずれか１の手段において、前記トロリーは、前記チェーンのリング穴に貫通するストッパーを備えたことを特徴とする軸回り用吊り天秤を提供することにある。
上記第６の手段によれば、吊り上げ手段のチェーンの送り出し又は巻き上げを防止でき、停止時、天井クレーンによる移動時、周回移動後の作業時などの際に吊り上げ手段の誤作動を防止又はチェーンを固定できる。
【考案の効果】
【００１３】
本考案によれば、天井クレーンで吊り上げた状態で水平に配置された棒状構造物の下方へ回り込んで装置等を搬送することができ、吊り替え等の必要がなく、容易に、効率よく、安全に高所作業を行うことができる。
また天井クレーンなどで吊った状態で作業を行えるため、水平に配置された棒状構造物上への固定作業が必要ない。固定手段を別途設ける必要がなく、既存のガスタービン本体に適用できる。
【図面の簡単な説明】
【００１４】
【図１】本考案の軸回り用吊り天秤の正面図である。
【図２】トロリーの正面図である。
【図３】トロリーの平面図である。
【図４】図２のＣ−Ｃ矢視断面拡大図である。
【図５】図２のＤ−Ｄ矢視断面拡大図である。
【図６】図３のＦ−Ｆ矢視断面図である。
【図７】図６のＨ−Ｈ矢視断面図である（チェーン省略）。
【図８】チェーン端部及び留め金具の説明図であり、（Ａ）側面図、（Ｂ）正面図である。
【図９】図２のＧ−Ｇ矢視断面拡大図である。
【図１０】図２のＥ−Ｅ矢視断面拡大図である。
【図１１】本考案の軸回り用吊り天秤の説明図である。
【考案を実施するための形態】
【００１５】
本考案の軸回り用吊り天秤の実施形態について、図面を参照しながら、以下詳細に説明する。本考案の軸回り用吊り天秤は、一例としてガスタービンなどの水平に配置された棒状構造物（断面が円、楕円、多角形、これらの筒形など）に適用可能であって、軸回りに沿って周回移動する天秤である。
【００１６】
［軸回り用吊り天秤１０］
図１は、本考案の軸回り用吊り天秤の正面図である。なお図１はチェーン単体の一部を省略して一本線で示している。図２はトロリーの正面図である。図３はトロリーの平面図である。図４は図２のＣ−Ｃ矢視断面拡大図である。図５は図２のＤ−Ｄ矢視断面拡大図である。図６は図３のＦ−Ｆ矢視断面図である。図７は図６のＨ−Ｈ矢視断面図である（チェーン省略）。図８はチェーン端部及び留め金具の説明図であり、（Ａ）側面図、（Ｂ）正面図である。図９は図２のＧ−Ｇ矢視断面拡大図である。図１０は図２のＥ−Ｅ矢視断面拡大図である。図１１は本考案の軸回り用吊り天秤の説明図である。
【００１７】
図１に示すように本考案の軸回り用吊り天秤１０は、チェーン１４の両端をつるべ式に交互に昇降させる吊り上げ手段１２と、水平に配置された棒状構造物１１の軸回りに沿った弧状の本体を有し、前記チェーン１４の一端が前記本体の一端側に、前記チェーン１４の他端が前記本体の他端側に接続する弧型天秤本体２０と、前記弧型天秤本体２０を前記棒状構造物１１の軸回りに周回移動可能に挟持するとともに、前記チェーン１４の送り出し又は巻き上げ自在に軸支するトロリー４０と、を備えている。
吊り上げ手段１２は、つるべ式チェーンブロックなど、送り出し又は巻き上げるチェーン１４の一端及び他端が、つるべ式に交互に昇降可能な巻き上げ装置を用いている。また吊り上げ手段１２は天井クレーン等により吊り上げ可能な吊りフック１３を上部に備えている。
【００１８】
＜弧型天秤本体２０＞
弧型天秤本体２０は、所定強度のＨ鋼を用い、ウェブを垂直、フランジを水平に配置して、正面視で半円型となるように湾曲形成している（図１参照）。
弧型天秤本体２０の一端側と他端側に、それぞれ吊り上げ手段１２のチェーン１４の一端と他端を固定するため、上部フランジ２０１には留め金具２２を設けている（図８参照）。この留め金具２２は、チェーン１４を間に挟む一対の金属プレート（孔付き）であって、上部フランジ２０１に設けて締結手段２４（ボルト及びナット）を孔及びチェーン孔に挿入することにより、チェーン１４の一端及び他端を上部フランジ２０１に固定できる。
【００１９】
弧型天秤本体２０の上部フランジ２０１は、チェーン１４との接触箇所にチェーンガイド２６を設けている（図２〜４，６参照、図３，６はレールを省略）。チェーンガイド２６は、上部フランジ２０１の主面に対して垂直向きのチェーン１４が嵌る中心溝２６１と、上部フランジ２０１の主面に対して水平向きのチェーン１４が嵌るレール２６２を有し、上部フランジ２０１の長手方向に沿って設けている。なおチェーンガイド２６の厚みは、後述するシーブ５２との間でチェーン１４を挟持可能な長さに設定している。このような構成のチェーンガイド２６は、上部フランジ２０１面上でチェーン１４を挟持して滑ることがなく脱落を防止できる。
また弧型天秤本体２０の少なくとも一方又は両端下部には、フック２８を設け、所定の装置を吊り下げ可能に構成している。
なお弧型天秤本体２０の形状は、半円型に限らず、中心角が９０度〜２７０度の円弧などであっても良い。
【００２０】
＜トロリー４０＞
トロリー４０は、弧型天秤本体２０の上部フランジ２０１に転接する第１及び第２上部車輪４２，４４と、弧型天秤本体２０の下部フランジ２０２に転接する下部車輪４６を備え、一対のプレート４８間で回転軸５０を支持している。
第１及び第２上部車輪４２，４４、下部車輪４６は、いずれも一対の片ツバ車輪を用い、ベアリングを介して回転自在に回転軸５０に設け、ツバ間に上部及び下部フランジ２０１，２０２が嵌るように挟持している（図４，５参照）。
【００２１】
第１及び第２上部車輪４２，４４は、一対の片ツバ車輪の間にシーブ５２を有している。シーブ５２は、チェーン単体の孔が一つ置きに嵌る歯のピッチに形成され、第１及び第２上部車輪４２，４４の内側（厚み方向の中心）でチェーン１４の送り出し又は巻き上げを行っている（図３，６参照）。なおシーブ５２はフランジ面に対して垂直方向のチェーン１４が嵌る中心溝５２１を備えており、歯が嵌るチェーン単体の前後のチェーン単体が嵌りチェーン１４の脱落を防止している。
【００２２】
トロリー４０の第１及び第２上部車輪４２，４４の間には、送りローラ５４を設けている（図６，７参照）。送りローラ５４は、チェーン１４を間に挟んでシーブ５２と対抗する箇所に設けている。なお送りローラ５４はフランジ面に対して垂直方向のチェーン１４が嵌る中心溝５４１を備えており、シーブ５２の歯が嵌るチェーン単体の前後のチェーン単体が嵌りチェーン１４の脱落を防止している。
【００２３】
このような構成のトロリー４０は、第１及び第２上部車輪４２，４４と下部車輪４６の間で弧型天秤本体２０を挟持して支持するとともに、一対のシーブ５２及び送りローラ５４によるチェーン１４の送り出し又は巻き上げによって水平に配置された棒状構造物の軸回りに沿って弧型天秤本体２０を摺動自在に支持できる。
【００２４】
＜ストッパー６０＞
トロリー４０にはチェーン１４の送り出し又は巻き上げを防止するストッパー６０を設けている（図９参照）。ストッパー６０は、一対のプレート４８の上側であって、正面視でチェーン１４と重なる箇所に締結ボルトで固定した孔付き取付具６２にトロリー４０の厚み方向に挿入しチェーン単体の穴を貫通可能な固定ボルトである。
なお孔付き取付具６２は下部の取付長孔によって位置調整が可能であり、ストッパー６０がチェーン単体の穴を貫通させるときの位置合わせを容易にしている。このような構成のストッパー６０は、天井クレーンなどによる移動時、水平に配置された棒状構造物の軸回りに沿って周回移動させた後の位置決め時などにおいて、チェーン単体の開口に貫通させて孔付き取付具６２に固定することにより、吊り上げ手段１２によるチェーン１４の送り出し又は巻き上げなどの誤作動による弧型天秤本体２０の周回移動を防止できる。
【００２５】
＜固定ピン７０＞
トロリー４０には弧型天秤本体２０の周回移動を防止する固定ピン７０を設けている（図１０参照）。固定ピン７０は、一対のプレート４８の下側であって、正面視で下部フランジ２０２よりも下方箇所に締結ボルトで固定した一対のＬ字プレート７２の孔に挿入可能な固定ボルトである。
このような構成の固定ピン７０は、天井クレーンなどによる移動時、水平に配置された棒状構造物の軸回りに沿って周回移動させた後の位置決め時などにおいて、Ｌ字プレート７２の孔に挿入して先端を下部フランジ２０２の主面に当接して固定することにより、吊り上げ手段１２によるチェーン１４の送り出し又は巻き上げなどの誤作動による弧型天秤本体２０の周回移動を防止できる。
なおストッパー６０及び固定ピン７０はいずれか一方でもその効果を発揮できるほか、組み合わせることもできる。
【００２６】
［作用］
上記構成による本考案の軸回り用吊り天秤の作用について、以下説明する。
図１，１１に示すように、燃焼器の搬送装置８０を吊り下げた軸回り用吊り天秤１０を天井クレーンで吊り上げて、水平に配置された棒状構造物１１となるガスタービン本体の上方まで移動し、弧型天秤本体２０の半円中心と棒状構造物の断面中心がほぼ一致するように配置する。
吊り上げ手段１２によるチェーン１４の送り出し又は巻き上げ動作により、搬送装置８０を使うガスタービン本体下方の燃焼器付近まで、搬送装置８０を吊り下げた側の弧型天秤本体２０の端部をガスタービン本体の軸回りに周回移動させる。
【００２７】
弧型天秤本体２０を周回移動させた後、必要に応じて、ストッパー６０又は固定ピン７０を用いて弧型天秤本体２０を固定して位置決めする。その後、吊り下げた搬送装置８０により燃焼器の着脱作業を行う。
このような本考案の軸回り用吊り天秤によれば、天井クレーンで吊り上げた状態で水平に配置された棒状構造物まで移動後、下方へ回り込んで搬送装置等を搬送することができ、吊り替え等の必要がなく、容易に、効率よく、安全に高所作業を行うことができる。
【００２８】
以上、本考案の好ましい実施形態について説明した。しかしながら、本考案は、上記実施形態に何ら制限されることなく、本考案の主旨を逸脱しない範囲において、種々の変更が可能である。
また、本考案は、実施形態において示された組み合わせに限定されることなく、種々の組み合わせによって実施可能である。
【産業上の利用可能性】
【００２９】
本考案の軸回り用吊り天秤は、特に高所作業を伴う水平に配置された棒状構造物の設置、点検、解体作業おいて産業上の利用可能性を有する。
【符号の説明】
【００３０】
１０  軸回り用吊り天秤
１１  棒状構造物
１２  吊り上げ手段
１３  吊りフック
１４  チェーン
２０  弧型天秤本体
２０１  上部フランジ
２０２  下部フランジ
２２  留め金具
２４  締結手段
２６  チェーンガイド
２６１  中心溝
２６２  レール
２８  フック
４０  トロリー
４２  第１上部車輪
４４  第２上部車輪
４６  下部車輪
４８  プレート
５０  回転軸
５２  シーブ
５２１  中心溝
５４  送りローラ
６０  ストッパー
６２  孔付き取付具
７０  固定ピン
７２  Ｌ字プレート
８０  搬送装置
【図１】
0003219374.tif 000003
【図２】
0003219374.tif 000004
【図３】
0003219374.tif 000005
【図４】
0003219374.tif 000006
【図５】
0003219374.tif 000007
【図６】
0003219374.tif 000008
【図７】
0003219374.tif 000009
【図８】
0003219374.tif 000010
【図９】
0003219374.tif 000011
【図１０】
0003219374.tif 000012
【図１１】
0003219374.tif 000013